(57)【特許請求の範囲】
【請求項１】
扉枠の内側面に戸当りが突設されており、且つ、扉は持出し型の蝶番にて蝶着されている開閉用扉に於て、該扉は中央部にて二折できるように分割され、双方の分割扉は前記戸当り側の端面にて蝶番にて蝶着され、更に、前記持出し型の蝶番による蝶着部と反対側の分割扉であって、前記戸当りの反対側の端部を上下に及んで切欠すると共に、該切欠部の上端部に近接して軸片を取付け、更に、該軸片のガイドレールを扉枠の天井部の側面に突設したことを特徴とする二折型扉の開閉装置。
【発明の詳細な説明】
【０００１】
【発明の属する技術分野】
この発明は二折型扉の開閉装置に関するものであり、特に、扉枠の内側面に戸当りを有し、且つ、扉は持出し型の蝶番にて蝶着されている扉を二折型扉にして開閉自在に構成されたものである。
【０００２】
【従来の技術】
扉枠の内側面に戸当りを有し、且つ、扉が持出し型蝶番によって蝶着されて開閉できるようにした従来型の扉を中央部に於て二分割して二折型扉に形成した場合について図６に従って説明する。同図に於て１は扉枠である。該扉枠１は内側面に戸当り２を有する。更に、扉３はその一端部を持出し型蝶番４によって蝶着されている。而して、該扉３は中央部にて二分割されて分割扉３ａ，３ｂを形成し、そして、該分割扉３ａ，３ｂは前記戸当り２側の双方の端部を蝶番５にて蝶着して二折できるように形成される。
【０００３】
【発明が解決しようとする課題】
上記図６に示す扉３を分割扉３ａ，３ｂの当接部に設けられている蝶番５を介して二折し乍ら開放しようとするときには、蝶番５は前記持出し型の蝶番４との距離を半径とする円周上を同図に於て上方へ移動しようとする。この場合は分割扉３ｂの先端部Ｐは、該蝶番５と該先端部Ｐとの距離を半径とする円周上を同図に於て下方へ移動しようとする。然るときは、該分割扉３ｂの前記先端部Ｐは扉枠１の側面に干渉して前記回転運動が阻止される。従って、前記蝶番５の回転軌跡上の前述の移動が不可能となり、依って、扉枠１の内側面に戸当り２を有し、且つ、持出し型の蝶番４によって蝶着せられる扉３を二折型に形成して開閉させることはできない。
【０００４】
そこで、前記扉３を二折型に形成して開閉できるようにするために解決せらるべき技術的課題が生じてくるのであり、本発明は該課題を解決することを目的とする。
【０００５】
【課題を解決するための手段】
この発明は上記目的を達成するために提案せられたものであり、扉枠の内側面に戸当りが突設されており、且つ、扉は持出し型の蝶番にて蝶着されている開閉用扉に於て、該扉は中央部にて二折できるように分割され、双方の分割扉は前記戸当り側の端面にて蝶番にて蝶着され、更に、前記持出し型の蝶番による蝶着部と反対側の分割扉であって、前記戸当りの反対側の端部を上下に及んで切欠すると共に、該切欠部の上端部に近接して軸片を取付け、更に、該軸片のガイドレールを扉枠の天井部の側面に突設した二折型扉の開閉装置を提供するものである。
【０００６】
【発明の実施の形態】
以下、本発明の一実施の形態を図１乃至図５に従って詳述する。尚、説明の都合上、前記図６にて図示した構成と同一部分は同一の符号を用いるものとする。図に於て１は扉枠である。該扉枠１は内側面に戸当り２を有する。更に、扉３は中央部を縦方向に２分割されて分割扉３ａ，３ｂから成る。而して、一方の分割扉３ａはその一端部を持出し型蝶番４によって蝶着されており、且つ、図３に示す如く、他の分割扉３ｂと前記戸当り２の存在する側、即ち、同図に於て双方の当接部の下端部を蝶番５によって二折又は直線上の延設自在に蝶着されている。
【０００７】
又、他方の分割扉３ｂは、図３に示すように前記戸当り２と反対側、即ち、同図に於て上方左端部を切欠いて切欠部６を形成してある。従って、該切欠部６は該分割扉３ｂの上記端部を上端部から下端部に及んで縦方向に設けられ、そして、該扉３を二折して開放しようとするとき、図６にて解説したように分割扉３ｂの先端部Ｐの部分が扉枠１に干渉するようなことがないようにし、そして、分割された扉３が二折され乍ら自在に開閉できるように構成されている。
【０００８】
又、前記戸当り２の一側即ち、図２に於て右側に位置する扉枠１の天井部１ａの側面に沿ってガイドレール７が設けられている。そこで、このガイドレール７に遊嵌されて滑走する軸片８を前記他方の分割扉３ｂの前記切欠部６近傍に突設した取付片９上に立設し、そして、該軸片８を該ガイドレール７に遊嵌してある。
【０００９】
この発明の一実施の形態は上述せる如き構成に係るから、該扉３を開く場合は図５の平面図に示すように蝶番５を介して分割扉３ａ，３ｂが二折され乍ら、最後には双方が折り重なるように扉枠１に対して略直角状態の位置まで回動して扉３が開放される。このとき、図３の平面図に示すように分割扉３ｂの先端部が同図に於て蝶番５を回動支点として下方へ回動するとき、該分割扉３ｂの該先端部には切欠部６が設けられているので、該切欠部６によって該分割扉３ｂの先端部が扉枠１に干渉するようなことはなく、円滑に該分割扉３ｂの先端部が同図に於て下方へ回動する。従って、同図の鎖線で示すように該分割扉３ｂに設けた軸片８が扉枠１の天井部１ａに設けたガイドレール７内を同図に於て右方へ直線的に摺動することになり、依って、蝶番５は同図に於て上方へ移動し、図５に示すように最後には持出し型蝶番４を回動支点として双方の分割扉３ａ，３ｂが同図に於て上方へ直線的に折重って扉３を開放することになる。又、一旦開放された扉３を閉じる場合は、前記開放時の作用の反対の作用を為して閉塞することになるが、閉塞時に於ては分割扉３ｂの先端部が扉枠１に干渉するようなことがない事は当然である。
【００１０】
尚、本発明は、本発明の精神を逸脱しない限り種々の改変を為すことができ、そして、本発明が該改変されたものに及ぶことは当然である。
【００１１】
【発明の効果】
この発明は上記一実施の形態にて詳述せる如く、扉は分割されて蝶番を介して二折可能となり、且つ、持出し型蝶番を介して回動し乍ら該扉を開放させるとき、他の分割扉の先端部に切欠部を設けているので該切欠部が扉枠に干渉することを避ける。そこで、扉枠の内側面に戸当りを有し、且つ、扉は持出し型の蝶番にて蝶着されているものであっても、二折型の扉を形成して開閉動作を可能にすることができる。而も、前記持出し型の蝶番を介して扉を開閉するとき、軸片がガイドレールにガイドされて直線的に摺動するので、双方の分割扉が自在に二折されて重って扉を開放し、或いは直線上に延設された状態となって扉を閉塞することができる。斯くして、前記扉枠に戸当りを有し、且つ、持出し型蝶番にて蝶着された扉であっても、前述せる如く二折が可能であるため狭隘な場所に開閉扉を取付ける際に特に効果的となる。
【図面の簡単な説明】
【図１】本発明の一実施の形態を示し、その正面図。
【図２】図１のＡ−Ａ線断面図。
【図３】天井部を除いたときの図１の平面図。
【図４】図１の状態から扉を開放している状態を示す正面図。
【図５】図３の状態から更に扉を充分に開放した状態を示す平面図。
【図６】天井部を除いたときの従来例の解説平面図。
【符号の説明】
１          扉枠
１ａ        天井部
２          戸当り
３          扉
３ａ，３ｂ  分割扉
４          持出し型蝶番
５          蝶番
６          切欠部
７          ガイドレール
８          軸片
【図１】
0003558447.tif 000002
【図２】
0003558447.tif 000003
【図３】
0003558447.tif 000004
【図４】
0003558447.tif 000005
【図５】
0003558447.tif 000006
【図６】
0003558447.tif 000007